(57)【要約】【課題】外力に対する耐性に優れた菓子用包装容器を提供する。【解決手段】菓子（例えば和菓子）の底面を支える為の底面部１０１と、底面部１０１の周端に設けられた周壁部１０２とを有する菓子用包装容器１００であって、底面部１０１の四隅から上側に延びるよう設けられ、菓子（例えば和菓子）の側面を支える為の柱状部１０３を有することを特徴とする菓子用包装容器。例えば、この底面部１０１、周壁部１０２及び柱状部１０３の形状は全て薄厚樹脂によって一体に構成されている。【選択図】図１
2019099227.tif 000002
【特許請求の範囲】
【請求項１】
菓子の底面を支える為の底面部と、該底面部の周端に設けられた周壁部とを有する菓子用包装容器であって、該底面部の四隅から上側に延びるよう設けられ、該菓子の側面を支える為の柱状部を有することを特徴とする菓子用包装容器。
【請求項２】
樹脂成形体である請求項１記載の菓子用包装容器。
【請求項３】
底面部、周壁部及び柱状部の形状が薄厚樹脂によって一体に構成されている請求項２記載の菓子用包装容器。
【発明の詳細な説明】
【技術分野】
【０００１】
本発明は、和菓子や洋菓子等の菓子を収納する為の包装容器に関し、より詳しくは外力に対する耐性に優れた菓子用包装容器に関する。
【背景技術】
【０００２】
従来の菓子用包装容器は、例えば特許文献１及び特許文献２に記載されているように、菓子を収納するトレーと、このトレーに嵌合される略中空角錐台形の蓋体とを備えている。このトレー及び蓋体は樹脂成形体であり、通常、その外形は薄厚樹脂によって構成されている。
【先行技術文献】
【特許文献】
【０００３】
【特許文献１】特許第２９４７４６９号公報
【特許文献２】特許第３６４３０５９号公報
【発明の概要】
【発明が解決しようとする課題】
【０００４】
上述した薄厚樹脂によって構成された包装容器は、外力がかかると簡単に変形してしまう傾向にある。そして包装容器が変形すると、内包されている和菓子や洋菓子も破損し、その商品価値が失われてしまうという課題がある。本発明はこのような課題を解決する為になされたものであり、外力に対する耐性に優れた菓子用包装容器を提供することを目的とする。
【課題を解決するための手段】
【０００５】
本発明者は上記課題を解決すべく鋭意検討した結果、包装容器の底面部の四隅から上側に延びる柱状部を設けた構成の包装容器が非常に効果的であることを見出した。このような構成の包装容器は、従来のトレー及び蓋体からなる菓子用包装容器の構成とは全く異なる斬新なものである。
【０００６】
すなわち本発明は、菓子の底面を支える為の底面部と、該底面部の周端に設けられた周壁部とを有する菓子用包装容器であって、該底面部の四隅から上側に延びるよう設けられ、該菓子の側面を支える為の柱状部を有することを特徴とする菓子用包装容器である。
【発明の効果】
【０００７】
本発明の菓子用包装容器は、底面部の四隅から上側に延びるよう設けられた柱状部を有するので、従来の包装容器よりも外力に対する耐性に非常に優れている。したがって、例えば運搬の際に加わる押圧力、落下の際に加わる衝撃力、そのほか販売時の陳列の際や消費者が購入した後に加わる不慮の押圧力や衝撃力に対しても耐性に非常に優れており、内包されている和菓子や洋菓子が破損しにくくなる。
【図面の簡単な説明】
【０００８】
【図１】本発明の菓子用包装容器の第１の実施形態を示す斜視図である。
【図２】本発明の菓子用包装容器の第１の実施形態の使用状態を示す斜視図である。
【図３】本発明の菓子用包装容器の第１の実施形態を示す平面図である。
【図４】図３のＡ−Ａ’線切断部端面図を示す平面図である。
【図５】図３のＢ−Ｂ’線切断部端面図を示す平面図である。
【図６】本発明の菓子用包装容器の第２の実施形態を示す斜視図である。
【発明を実施するための形態】
【０００９】
図１は、本発明の菓子用包装容器の第１の実施形態を示す斜視図であり、図２は、その使用状態を示す斜視図である。この第１の実施形態の包装容器１００は、菓子の底面を支える為の底面部１０１と、底面部１０１の周端に設けられた周壁部１０２と、底面部１０１の四隅から上側に延びるよう設けられた柱状部１０３を有する。
【００１０】
底面部１０１は、和菓子１０５の底面を支える為の部分である。第１の実施形態において、底面部１０１の上面、すなわち和菓子１０５の底面を支える面は円形状である。和菓子１０５の底面が略円形状である場合は、このように底面部１０１の上面も円形状であることが好ましい。ただし本発明はこれに限定されず、和菓子１０５の底面の形状や成形の容易性に応じて底面部１０１の上面の形状を適宜決定すれば良い。円形以外の形状としては、例えば、正方形、長方形、菱形、多角形、星形等が挙げられる。
【００１１】
周壁部１０２は、底面部１０１の周端に設けられる壁である。この周壁部１０２を設けることにより包装容器１００の強度が向上する。第１の実施形態において、周壁部１０２の内面は上側に開く曲面である。和菓子１０５の主要部が略球状である場合は、このように周壁部１０２の内面が上側に開く曲面であることが好ましい。ただし本発明はこれに限定されず、和菓子１０５の対応部分の形状や成形の容易性に応じて周壁部１０２の内面の形状を適宜決定すれば良い。上側に開く曲面以外の形状としては、例えば、上側に開く傾斜面、垂直面等が挙げられる。
【００１２】
柱状部１０３は、和菓子１０５の側面を支える為の部分である。この柱状部１０３を設けることにより包装容器１００の強度が向上すると共に、従来の包装容器よりも外力に対する耐性が向上し、内包されている和菓子１０５が破損しにくくなる。第１の実施形態においては、４本の柱状部１０３が底面部１０１の四隅から上側に延びるよう設けられている。柱状部１０３の内面は周壁部１０２の内面と同様に上側に開く曲面である。そして柱状部１０３の内面の形状も、周壁部１０２の内面と同様に和菓子１０５の対応部分の形状や成形の容易性に応じて適宜決定すれば良い。柱状部１０３の形状は略五角錐（但し頂部は水平面）である。ただし本発明はこれに限定されず、和菓子１０５の対応部分の形状や包装容器１００に必要とされる強度のレベルや成形の容易性に応じて柱状部１０３の形状を適宜決定すれば良い。
【００１３】
第１の実施形態においては、柱状部１０３の頂部に意匠部分１０３ａが設けられている。この意匠部分１０３ａにおいては、柱状部１０３の頂部の外側面に波目状の段差を設けることにより富士山の絵柄を連想させるようデザインされている。このような意匠部分１０３ａを設けることは意匠的に好ましい。ただし本発明はこれに限定されず、意匠部分１０３ａに富士山以外の他の絵柄のデザインを付しても良いし、あるいは意匠部分１０３ａを設けないものでも良い。
【００１４】
第１の実施形態においては、４本の柱状部１０３が底面部１０１の四隅から上側に延びるよう設けられている。本発明では少なくともこの４本の柱状部１０３が必要であるが、５本の以上の柱状部を設けたものであっても良い。例えば、２本の柱状部１０３の中間の位置の周壁部１０２から上側に延びるよう設けられた柱状部をさらに有していても良い。
【００１５】
第１の実施形態においては、周壁部１０２及び柱状部１０３の下側接地面に、水平方向に延びる狭幅の接地部１０４が設けられている。この接地部１０４を設けることにより包装容器１００の載置安定性や強度が向上する。ただし本発明はこれに限定されず、接地部１０４を設けないものでも良い。
【００１６】
図３は本発明の菓子用包装容器の第１の実施形態を示す平面図であり、図４はそのＡ−Ａ’線切断部端面図であり、図５はそのＢ−Ｂ’線切断部端面図である。これら図面に示すとおり、第１の実施形態における包装容器１００は、底面部１０１、周壁部１０２及び柱状部１０３等の形状が全て薄厚樹脂によって一体に構成され、裏面側が空洞になっている薄厚樹脂成形体である。このような樹脂成形体は、軽量かつ低コストである点から好ましい。ただし本発明はこれに限定されず、例えば、裏面側も樹脂で充填された一体型射出樹脂成形体であっても良いし、樹脂以外の材料で構成されたものであっても良い。
【００１７】
図６は、本発明の菓子用包装容器の第２の実施形態を示す斜視図である。この第２の実施形態の包装容器２００は、菓子の底面を支える為の底面部２０１と、底面部２０１の周端に設けられた周壁部２０２と、底面部２０１の四隅から上側に延びるよう設けられた柱状部２０３を有する。
【００１８】
第２の実施形態において、底面部２０１の上面は第１の実施形態と同様に円形状であるが、第１の実施形態と同様に、菓子の底面の形状や成形の容易性に応じて適宜決定すれば良い。周壁部２０２の内面は第１の実施形態と同様に上側に開く曲面であるが、第１の実施形態と同様に、菓子の対応部分の形状や成形の容易性に応じて適宜決定すれば良い。柱状部１０３の形状は第１の実施形態と同様に略五角錐（但し頂部は水平面）であり、内面は第１の実施形態と同様に上側に開く曲面であるが、第１の実施形態と同様に、菓子の対応部分の形状や包装容器２００に必要とされる強度のレベルや成形の容易性に応じて適宜決定すれば良い。第２の実施形態においては、第１の実施形態の意匠部分１０３ａ及び接地部１０４に対応する部分は無い。これらは必要に応じて設けられる任意の部分だからである。
【００１９】
以上説明した本発明の包装容器１００及び２００においては、従来の包装容器に用いられている蓋体は必ずしも必要ではない。例えば、菓子を内包した包装容器１００及び２００をそのまま１個入り、２個入り、４個入り、６個入り等の所定のサイズの箱に入れて運搬及び販売しても良いし、菓子を内包した包装容器１００及び２００を１個ずつ樹脂フィルム製又は紙製の袋に入れて運搬及び販売しても良いし、樹脂フィルム製又は紙製の袋に入れたものをさらに所定のサイズの箱に入れて運搬及び販売しても良い。
【産業上の利用可能性】
【００２０】
本発明の菓子用包装容器は、外力に対する耐性に優れているので、特に形状が崩れ易い柔らかい菓子、例えば、饅頭、大福餅、羊羹等の和菓子、ケーキ、シュークリーム等の洋菓子の包装容器として非常に有用である。
【符号の説明】
【００２１】
１００  包装容器
１０１  底面部
１０２  周壁部
１０３  柱状部
１０３ａ  意匠部分
１０４  接地部
１０５  和菓子１０５
２００  包装容器
２０１  底面部
２０２  周壁部
２０３  柱状部
【図１】
2019099227.tif 000003
【図２】
2019099227.tif 000004
【図３】
2019099227.tif 000005
【図４】
2019099227.tif 000006
【図５】
2019099227.tif 000007
【図６】
2019099227.tif 000008
【手続補正書】
【提出日】平成31年2月14日(2019.2.14)
【手続補正１】
【補正対象書類名】特許請求の範囲
【補正対象項目名】請求項１
【補正方法】変更
【補正の内容】
【請求項１】
菓子の底面を支える為の底面部と、該底面部の周端に設けられた周壁部とを有する菓子用包装容器であって、該底面部の四隅から上側に延びるよう設けられ、該菓子の側面を支える為の４本の柱状部を有することを特徴とする菓子用包装容器。
【手続補正２】
【補正対象書類名】明細書
【補正対象項目名】０００６
【補正方法】変更
【補正の内容】
【０００６】
すなわち本発明は、菓子の底面を支える為の底面部と、該底面部の周端に設けられた周壁部とを有する菓子用包装容器であって、該底面部の四隅から上側に延びるよう設けられ、該菓子の側面を支える為の４本の柱状部を有することを特徴とする菓子用包装容器である。
【手続補正３】
【補正対象書類名】明細書
【補正対象項目名】０００７
【補正方法】変更
【補正の内容】
【０００７】
本発明の菓子用包装容器は、底面部の四隅から上側に延びるよう設けられた４本の柱状部を有するので、従来の包装容器よりも外力に対する耐性に非常に優れている。したがって、例えば運搬の際に加わる押圧力、落下の際に加わる衝撃力、そのほか販売時の陳列の際や消費者が購入した後に加わる不慮の押圧力や衝撃力に対しても耐性に非常に優れており、内包されている和菓子や洋菓子が破損しにくくなる。
【手続補正４】
【補正対象書類名】明細書
【補正対象項目名】０００９
【補正方法】変更
【補正の内容】
【０００９】
図１は、本発明の菓子用包装容器の第１の実施形態を示す斜視図であり、図２は、その使用状態を示す斜視図である。この第１の実施形態の包装容器１００は、菓子の底面を支える為の底面部１０１と、底面部１０１の周端に設けられた周壁部１０２と、底面部１０１の四隅から上側に延びるよう設けられた４本の柱状部１０３を有する。